(57)【要約】  基板の取り付け構造は、表面に第１コネクタが設けられた第１基板と、前記第１コネクタに着脱される第２コネクタが設けられた第２基板と、前記第１基板の一部を覆う板状部材とを備える。前記板状部材は、前記板状部材の一部を前記第１基板側に折り曲げることで形成され、前記第２コネクタが前記第１コネクタに装着される際の前記第１基板に対する前記第２基板の姿勢を規制する姿勢規制部と、前記板状部材の一部を折り曲げることで形成され、前記第２コネクタが前記第１コネクタに装着された状態において前記第１基板に対して前記第２基板が配置される位置を規制する位置規制部と、を有する。
2018116554.tif 000002
【特許請求の範囲】
【請求項１】
平板状に形成された第１基板と、
前記第１基板の表面に設けられた第１コネクタと、
平板状に形成された第２基板と、
前記第２基板に設けられ、前記第１コネクタに接続されることにより前記第２基板が前記第１基板に装着される第２コネクタと、
前記第１基板と平行に延設され、前記第１基板の前記表面の少なくとも一部を覆う板状部材と、
前記板状部材の一部を前記第１基板に向かって折り曲げることで形成され、前記第２コネクタが前記第１コネクタに装着される際の前記第１基板に対する前記第２基板の姿勢を規制する姿勢規制部と、
前記板状部材の一部を折り曲げることで形成され、前記第２コネクタが前記第１コネクタに装着された状態において前記第１基板に対して前記第２基板が配置される位置を規制する位置規制部と、
を有する基板の取り付け構造。
【請求項２】
前記第２基板は、細長形状の平板であり、
前記第２基板において前記第１基板の前記表面と対向する面における表面積は、前記第１基板の前記表面における表面積よりも小さい、
請求項１に記載された基板の取り付け構造。
【請求項３】
前記姿勢規制部は、前記第２コネクタが前記第１コネクタから取り外された状態において前記第１コネクタを前記板状部材の外部に露出させるとともに、前記第２コネクタが前記第１コネクタに装着される際に、前記第１基板に対して前記第２基板が配置される位置を規制する、
請求項１に記載された基板の取り付け構造。
【請求項４】
前記姿勢規制部は、前記第１基板の前記表面に向かって傾斜する一対の壁面を備え、
前記壁面のそれぞれは、前記第２コネクタが前記第１コネクタに装着された状態において、前記第２基板の側面と対向する、
請求項１に記載された基板の取り付け構造。
【請求項５】
前記第２基板は、前記第２コネクタが配置されるコネクタ配置部と、保持部とを備え、
前記第２コネクタが前記第１コネクタに装着された状態では、前記コネクタ配置部が前記壁面の間から前記板状部材の外部に露出する、
請求項４に記載された基板の取り付け構造。
【請求項６】
前記第２コネクタが前記第１コネクタに装着された状態では、前記第２基板において前記第１基板と対向する面とは反対側を向く面は、前記板状部材において前記第１基板と対向する面とは反対側を向く面よりも前記第１基板に近い、
請求項１に記載された基板の取り付け構造。
【請求項７】
前記位置規制部は、前記第２コネクタが前記第１コネクタから取り外される際に前記第１基板に対する前記第２基板の移動方向を規定の方向に規制する、
請求項１に記載された基板の取り付け構造。
【請求項８】
前記位置規制部は、前記第１基板の前記表面に対して傾斜または直交する一対の壁面を備え、
前記壁面のそれぞれは、前記第２コネクタが前記第１コネクタに装着された状態において、前記第２基板の側面と対向する、
請求項１に記載された基板の取り付け構造。
【請求項９】
前記第２基板は、前記第２コネクタが配置されるコネクタ配置部と、保持部とを備え、
前記第２コネクタが前記第１コネクタに装着された状態では、前記保持部が前記壁面の間に配置される、
請求項８に記載された基板の取り付け構造。
【請求項１０】
前記第１基板は、前記第１コネクタに電気的に接続された電気回路を備える、
請求項１に記載された基板の取り付け構造。
【請求項１１】
前記第２基板には、信号線が電気的に接続されている、
請求項１に記載された基板の取り付け構造。
【請求項１２】
前記第１コネクタと前記第２コネクタとが装着されることにより、前記第１基板と前記第２基板とが電気的に接続される、
請求項１に記載された基板の取り付け構造。
【発明の詳細な説明】
【技術分野】
【０００１】
本発明は、基板の取り付け構造に関する。
【背景技術】
【０００２】
例えばＵＳ２０１４／０１８７０６０Ａ１には、操作部の内部に基板の接続構造（取り付け構造）を備える内視鏡が開示されている。操作部の内部には、収納ケース（板状部材）の内部に配置される第１基板と、第１基板に着脱可能に取り付けられる第２基板が配置されている。第１基板及び第２基板のそれぞれには、電気回路及びコネクタが設けられている。これらのコネクタ同士が連結されることにより、第１基板と第２基板とが電気的に接続される。
【発明の概要】
【０００３】
例えばＵＳ２０１４／０１８７０６０Ａ１のような基板の取り付け構造では、第１基板に対する第２基板の取り外し方向は、一方向に規定されている。第２基板が規定の取り外し方向以外の方向に沿って第１基板から取り外されると、コネクタに負荷がかかる可能性がある。このため、収納ケース（板状部材）には、第２基板が規定の取り外し方向以外の方向に沿って取り外されることを防止する規制部材が取り付けられている。この場合、第２基板の取り外し方向を規制する構成に第１基板及び収納ケースとは異なる別部品を用いることにより、部品数が増えてしまい、組み立て時の工程及びコストが増加してしまう。
【０００４】
本発明は前記課題を解決するためになされたものであり、その目的とするところは、第１基板に対する第２基板の取り外し方向を規定の方向に規制可能であり、かつ、部品数を増やすことなく形成可能な、基板の取り付け構造を提供することにある。
【０００５】
前記目的を達成するために、本発明のある態様における基板の取り付け構造は、平板状に形成された第１基板と、前記第１基板の表面に設けられた第１コネクタと、平板状に形成された第２基板と、前記第２基板に設けられ、前記第１コネクタに接続されることにより前記第２基板が前記第１基板に装着される第２コネクタと、前記第１基板と平行に延設され、前記第１基板の前記表面の少なくとも一部を覆う板状部材と、前記板状部材の一部を前記第１基板に向かって折り曲げることで形成され、前記第２コネクタが前記第１コネクタに装着される際の前記第１基板に対する前記第２基板の姿勢を規制する姿勢規制部と、前記板状部材の一部を折り曲げることで形成され、前記第２コネクタが前記第１コネクタに装着された状態において前記第１基板に対して前記第２基板が配置される位置を規制する位置規制部と、を有する。
【図面の簡単な説明】
【０００６】
【図１】図１は、実施形態に係る内視鏡を示す概略図である。
【図２】図２は、実施形態に係る接続部を示す斜視図である。
【図３】図３は、実施形態に係る接続部の内部の構成を示す斜視図である。
【図４】図４は、実施形態に係る第１基板に第２基板が装着された状態を概略的に示す斜視図である。
【図５】図５は、実施形態に係る第２基板を示す斜視図である。
【図６】図６は、実施形態に係る第１基板とシールドケースを示す上面図である。
【図７】図７は、実施形態に係る第１基板とシールドケースを示す側面図である。
【図８】図８は、実施形態に係る第１基板を示す上面図である。
【図９】図９は、実施形態に係るシールドケースを示す斜視図である。
【図１０】図１０は、実施形態に係る第２基板を指で押して第１基板に装着する様子を示す概略図である。
【図１１】図１１は、実施形態に係る第２基板を第１基板から取り外す様子を示す概略図である。
【発明を実施するための形態】
【０００７】
本発明の実施形態について、図１乃至図１１を参照して説明する。図１は、挿入機器である内視鏡１を示す図である。図１に示すように、内視鏡１は、管腔等の観察対象部位に挿入する挿入部２を備える。挿入部２の基端には、操作部３が接続されている。操作部３の側面からは、ユニバーサルケーブル４が延設されている。ユニバーサルケーブル４の端部には、接続部５が設けられている。操作部３と接続部５は、ユニバーサルケーブル４を介して電気的に接続されている。接続部５、ユニバーサルケーブル４、操作部３及び挿入部２には、照明光学系及び観察光学系、更には、吸引、送気、送水等のための複数のチューブが内蔵されている。接続部５の内部には、後述する基板の取り付け構造６が配置されている。
【０００８】
接続部５は、光源装置及びプロセッサ等を備える外部機器（図示しない）に着脱可能に接続される。これにより、内視鏡１と外部機器は、接続部５を介して電気的に接続される。そして、外部機器から内視鏡１に電力が供給される、及び／又は、外部機器と内視鏡１との間で電気信号や光が伝達される。
【０００９】
なお、操作部３は、観察光学系を適宜に操作する各種のスイッチ９を有する。内視鏡１と外部機器とを電気的に接続することにより、スイッチ９の１つを操作することで観察光学系を適宜に制御することができる。また、内視鏡１と外部機器は、接続部５を介して光学的に接続されることも好適である。
【００１０】
接続部５は、長手軸Ｃを有する。ここで、長手軸Ｃに沿う方向、及び、長手軸Ｃに略平行な方向を長手方向とする。そして、長手方向の一方側を先端側（図１の矢印Ｃ１側）とし、先端側とは反対側を基端側（図１の矢印Ｃ２側）とする。
【００１１】
図２は、接続部５の構成を示す図である。図２に示すように、接続部５の先端部には、外部機器に接続される接続部材２８が設けられている。接続部材２８の基端側には、略円筒状のコネクタケース２３が長手方向に沿って延設されている。コネクタケース２３の基端側には、管状のコネクタカバー２４が長手方向に沿って固定されている。コネクタカバー２４の基端部には、ユニバーサルケーブル４の一端（操作部３に対する遠位端）が接続されている。
【００１２】
接続部材２８の先端面には、ライトガイド口金２６及び送気口金２７が設けられている。ライトガイド口金２６では、挿入部２の先端部において観察対象に照射される光が外部機器（光源）から供給される。また、送気口金２７では、挿入部２の先端部において送気される気体が外部機器から供給される。ここでは接続部材２８の先端面にライトガイド口金２６が設けられた例について説明するが、照明光学系がＬＥＤ等の発光素子を内視鏡１内に有する場合、ライトガイド口金２６は不要となる。
【００１３】
図３は、図２に示す接続部５からコネクタケース２３及びコネクタカバー２４が取り外された状態を示す図である。図３に示すように、接続部材２８には、メインフレーム５０がビス等（図示しない）により固定される。メインフレーム５０は、接続部材２８の基端側に取り付けられている。メインフレーム５０は、長手方向に沿って延設され、例えばステンレス鋼材等の金属材によって形成されている。
【００１４】
接続部材２８には、第１基板８５が固定されている。第１基板８５は、接続部材２８の基端側に取り付けられている。第１基板８５は、長手方向に沿って延設される平板状の部材である。第１基板８５とメインフレーム５０は、互いに対して略平行に配置されている。第１基板８５の表面には、電気回路が形成されている。第１基板８５は、接続部材２８に連結される。このとき、接続部材２８の図示しないコネクタに、第１基板８５のコネクタ８９（図６及び図８参照）が電気的に接続される。
【００１５】
第１基板８５は主面（表面）８７を備える。主面８７は、長手方向に沿って延設され、メインフレーム５０が配置される側とは反対側を向く面である。主面８７には、第１コネクタ８０が設けられている。第１コネクタ８０は、幅方向の寸法が長手方向の寸法よりも小さい細長形状に形成されている。第１コネクタ８０は第１基板８５の電気回路に電気的に接続されている。第１コネクタ８０には、図４及び図５に示すように、第２基板（マウントコネクタ基板）９１に設けられる第２コネクタ９０が着脱可能に取り付けられる。第２基板９１及び第２コネクタ９０については、後述する。
【００１６】
接続部材２８には、シールドケース７７が取り付けられている。シールドケース７７は、第１基板８５に固定され、第１基板８５に対する電磁シールドとして、用いられる。シールドケース７７は、第１基板８５と略平行に形成されている。シールドケース７７は、金属等の導電性を有する素材によって形成される平板（板状部材）を加工することによって形成されている。シールドケース７７は、複数の固定部８６において第１基板８５に固定されている。シールドケース７７は、第１基板８５の一部を覆っている。
【００１７】
図６及び図７は、第１基板８５及びシールドケース７７を示す図である。ここで、長手方向に略垂直で、かつ、第１基板８５に略垂直な方向を上下方向とする。上下方向のうち、主面８７が向く側を上側（図７の矢印Ｚ１側）とし、上方向とは反対側を下側（図７の矢印Ｚ２側）とする。また、長手方向に略垂直で、かつ、上下方向に略垂直な方向を幅方向とする。幅方向のうち、一方側を右側（図６の矢印Ｗ１側）とし、右側とは反対側を左側（図６の矢印Ｗ２側）とする。
【００１８】
図４は、第１基板８５に第２基板９１が装着された状態を示す図である。図５は、第２基板９１を示す図である。図４及び図５に示すように、第２基板９１は、表面が細長の略長方形状の平板である。第２基板９１は、第１基板８５に第１コネクタ８０及び第２コネクタ９０を介して着脱可能に装着される。第２基板９１には、電気回路が形成されている。第２基板９１は、第１基板８５に第１コネクタ８０及び第２コネクタ９０を介して装着された際において第１基板８５の主面８７に対向する対向面９２と、対向面９２とは反対側を向く外面９３とを備える。対向面９２の表面積は、第１基板８５の主面８７の表面積よりも小さい。また、第２基板９１は、第１基板８５に装着された際において先端側を向く先端面９４と、右側を向く側面９５と、左側を向く側面９６とを備える。
【００１９】
図５に示すように、第２基板９１は、コネクタ配置部９８と、保持部９９とを備える。コネクタ配置部９８と保持部９９は、第２基板９１の長手方向に沿って並んで配置されている。コネクタ配置部９８では、対向面９２に第２コネクタ９０が設けられている。第２コネクタ９０は、第２基板９１の長手方向に略垂直な方向（第２基板９１の幅方向）についての寸法が長手方向の寸法よりも小さい、細長形状に形成されている。第２コネクタ９０は、対向面９２の幅方向の中央部に設けられていることが好ましい。第２コネクタ９０は、第２基板９１の電気回路に電気的に接続されている。第２コネクタ９０は、第１基板８５の主面８７に設けられた第１コネクタ８０と着脱可能に連結される。第１コネクタ８０と第２コネクタ９０とが連結されることにより、第１基板８５と第２基板９１とが連結されるとともに第１基板８５と第２基板９１とが電気的に接続される。なお、第１コネクタ８０及び第２コネクタ９０の雄雌は、適宜に設定される。
【００２０】
保持部９９には、電気ケーブル（信号線）９７の一端が取り付けられている。電気ケーブル（信号線）９７の一端は、第２基板９１の電気回路に電気的に接続されている。電気ケーブル９７の他端は、ユニバーサルケーブル４の内部を通って、例えば操作部３のスイッチ９に電気的に接続されている。このため、第２基板９１の電気回路と操作部３とは、電気的に接続されている。
【００２１】
前述のように、操作部３と第２基板９１の電気回路とが電気的に接続され、第２基板９１の電気回路は第１基板８５の電気回路と電気的に接続されている。そして、第１基板８５の電気回路は、接続部材２８と電気的に接続されている。このため、操作部３と接続部５の接続部材２８とが電気的に接続される。これにより、接続部５に接続される外部機器と操作部３とを電気的に接続することができる。したがって、操作部３のスイッチ９の操作に応じて、外部機器が適宜に制御される。
【００２２】
図８は、第１基板８５を示す図である。図８は、図６に示す状態から、シールドケース７７が取り外された状態を示している。図８に示すように、第１コネクタ８０は、幅方向について中央部に設けられている。第１基板８５の基端部には、切欠き部８８が形成されている。切欠き部８８は、第１基板８５の基端から先端側に向かって長手方向に沿って凹んでいる。切欠き部８８は、幅方向について中央部に設けられている。切欠き部８８は、長手方向に沿って第１コネクタ８０よりも基端側に位置している。
【００２３】
ここでは、第１コネクタ８０及び切欠き部８８は第１基板８５の幅方向について中央部に設けられているが、これに限らない。第１コネクタ８０及び切欠き部８８は、例えば中央部に対して右側に多少ずれた位置に設けられていても良く、中央部に対して左側に多少ずれた位置に設けられていても良い。
【００２４】
図９は、シールドケース７７を示す図である。図９に示すように、シールドケース７７は、第１基板８５と略平行に延設される本体部１０１を備える。本体部１０１の右側には、シールドケース７７が長手方向に沿って第１基板８５側（下側）に折り曲げられることにより、側面部１０２が形成されている。本体部１０１の左側には、シールドケース７７が長手方向に沿って第１基板８５側（下側）に折り曲げられることにより、側面部１０３が形成されている。側面部１０２，１０３は、長手方向に沿って延設され、本体部１０１に対して略垂直に形成されている。本体部１０１及び側面部１０２，１０３は、一体に形成されている。第１基板８５は、側面部１０２，１０３の間に配置され、固定部８６においてシールドケース７７に固定される。
【００２５】
本体部１０１は、第１基板８５の主面８７と対向する対向面１０４と、対向面１０４と逆側を向く外面１０５とを備える。対向面１０４は、下側を向く平面である。外面１０５は、上側を向く平面であり、シールドケース７７の外表面の一部を形成している。
【００２６】
シールドケース７７と第１基板８５との間には、種々の要素が配置される。このため、図７に示すように、シールドケース７７の対向面１０４と第１基板８５の主面８７との間には、適宜の隙間が形成される。このため、シールドケース７７の対向面１０４と第１基板８５の主面８７との間は離間している。図７に破線で示す第２基板９１が第１基板８５に装着された状態では、シールドケース７７の本体部１０１の外面１０５は、第２基板９１の外面９３よりも上側に位置している。すなわち、第２コネクタ９０が第１コネクタ８０に装着された状態では、第２基板９１において第１基板８５と対向する対向面９２とは反対側を向く外面９３は、シールドケース７７において第１基板８５と対向する対向面１０４とは反対側を向く外面１０５よりも第１基板８５に近い。
【００２７】
本体部１０１は、本体部１０１の基端から先端側に向かって凹む切欠き部１１１を備える。切欠き部１１１は、幅方向に沿って延設される先端側縁部１１２と、本体部１０１の基端から先端側に向かって長手方向に沿って延設される右側縁部１１３及び左側縁部１１４とを備える。左側縁部１１４の先端は、先端側縁部１１２の左端と連続している。図６に示すように、切欠き部１１１からは、第１基板８５の主面８７の一部が外部に露出している。
【００２８】
本体部１０１は、誘い込み部１２１を備える。誘い込み部１２１は、切欠き部１１１の基端側に設けられている。誘い込み部１２１では、切欠き部１１１の先端側縁部１１２の一部が先端側に向かって凹んでいる。誘い込み部１２１は、基端側に向かって開口する略Ｕ字形状の溝である。切欠き部１１１と誘い込み部１２１は、長手方向に沿って連続している。切欠き部１１１の先端側縁部１１２の一部は、基端側に向かって開口している。
【００２９】
本体部１０１は、規制部１３１を備える。規制部１３１は、シールドケース７７の本体部１０１と一体に形成されている。規制部１３１は、切欠き部１１１内に配置されている。規制部１３１は、シールドケース７７を形成する板状部材の一部が切断又はスリットが形成されて折り曲げられて形成されている。規制部１３１は、切欠き部１１１の右側縁部１１３の一部から左側に向かって延出する部分が折り曲げ部１３０において折り曲げられることにより形成されている。規制部１３１は、長手方向に沿って延設され、上側に向かって開口する略Ｕ字形状に形成されている。また、規制部１３１は、誘い込み部１２１の基端側に配置されている。
【００３０】
規制部１３１は、底部１３２と、第１側壁１３３と、第２側壁１３４とを備える。第１側壁１３３は、切欠き部１１１の折り曲げ部１３０から下側に向かって本体部１０１に対して略垂直に延設されている（直交している）。底部１３２は、本体部１０１の対向面１０４及び外面１０５と平行又は略平行に形成された平面である。底部１３２は、第１側壁１３３に対して略垂直であり、第１側壁１３３の下端から左側に向かって延設されている。第２側壁１３４は、底部１３２の左端から上側に向かって底部１３２及び本体部１０１に対して略垂直に延設されている（直交している）。したがって、底部１３２は、幅方向について第１側壁１３３と第２側壁１３４との間に位置している。第１側壁１３３と底部１３２との連続部分には、角部１３５が形成されている。また、第２側壁１３４と底部１３２との連続部分には、角部１３６が形成されている。また、規制部１３１の先端１３８は、切欠き部１１１の先端側縁部１１２よりも基端側に位置している。
【００３１】
第１側壁１３３は、切欠き部１１１の右側縁部１１３からの延出部分が折り曲げられて形成されている。したがって、長手方向について規制部１３１が設けられる位置では、幅方向について右側から左側に向かって順に、本体部１０１、右側縁部１１３、折り曲げ部１３０、第１側壁１３３、底部１３２、第２側壁１３４が連続して形成されている。それぞれの連続部分では、一方の部位が他方の部位に対して略垂直に折り曲げられることにより一体に形成されている。
【００３２】
ここで、第１側壁１３３における上下方向の長さ（折り曲げ部１３０から角部１３５までの長さ）と、底部１３２における幅方向の長さ（角部１３５，１３６間の長さ）と、第２側壁１３４における上下方向の長さ（角部１３６から第２側壁１３４の上端１３７までの長さ）とを合計した長さは、幅方向について切欠き部１１１の折り曲げ部１３０と左側縁部１１４との間の長さよりも小さく形成されている。したがって、本体部１１０、側壁１３３，１３４及び底部１３２が１枚の平板となるように折り曲げ部１３０及び角部１３５，１３６における部位間の折れ曲がりを伸ばした場合において、規制部１３１の左端を形成する上端１３７は、左側縁部１１４よりも右側に位置する。このため、規制部１３１と左側縁部１１４とは、接触しない。また、前述したように、規制部１３１の先端１３８は、切欠き部１１１の先端側縁部１１２よりも基端側に位置しているため、規制部１３１と先端側縁部１１２とは、接触しない。したがって、規制部１３１は、１枚の板状部材（平板）を加工することにより、本体部１１０と一体に形成することができる。
【００３３】
図７に示すように、シールドケース７７が第１基板８５に取付けられた状態では、規制部１３１は、第１基板８５の切欠き部８８内に配置される。このとき、規制部１３１の底部１３２は、第１基板８５の主面８７よりも下側に配置される。
【００３４】
図４及び図７に示すように、第２基板９１が第１基板８５に装着された状態では、規制部１３１において側壁１３３，１３４の間に、第２基板９１の保持部９９が配置される。このとき、保持部９９における対向面９２と規制部１３１の底部１３２が対向する。そして、保持部９９における側面９５と規制部１３１の第１側壁１３３が対向する。また、保持部９９における側面９６と規制部１３１の第２側壁１３４が対向する。すなわち、側壁１３３，１３４は、第２コネクタ９０が第１コネクタ８０に装着された状態において、第２基板９１の側面９５，９６と対向する一対の壁面を有する。また、幅方向について側壁１３３，１３４間の距離は、第２基板９１の保持部９９の幅よりも僅かに大きく形成されている。
【００３５】
第２基板９１の保持部９９における対向面９２と規制部１３１の底部１３２との間は離間している。このため、第２基板９１の対向面９２と規制部１３１の底部１３２との間には、隙間が形成される。この隙間には、第２基板９１の対向面９２に配設される電気ケーブル９７等が配置される。
【００３６】
誘い込み部１２１は、誘い込み部１２１の先端において幅方向に沿って延設される先端側縁部１２２と、先端側縁部１２２から先端側に向かって長手方向に沿って延設される折り曲げ部１２３及び折り曲げ部１２４とを備える。
【００３７】
誘い込み部１２１は、折り曲げ部１２３から左側に向かって延出する傾斜部１２５と、折り曲げ部１２４から右側に向かって延出する傾斜部１２６とを備える。傾斜部１２５，１２６は、本体部１０１の外面１０５に対して傾斜している。傾斜部１２５，１２６は、折り曲げ部１２３，１２４から幅方向について中心に向かうにつれて、下側に向かう状態に滑らかに傾斜している。傾斜部１２５，１２６は、シールドケース７７の本体部１０１の一部が折り曲げ部１２３，１２４において下側に折り曲げられることにより形成されている。
【００３８】
なお、折り曲げ部１２３の先端は、先端側縁部１２２の右側端部に対して離間し、折り曲げ部１２４の先端は、先端側縁部１２２の左側端部に対して離間している。このため、本体部１０１の一部が加工されて折り曲げ部１２３，１２４が形成される際に、先端側縁部１２２の右側端部及び左側端部の近傍に変形が生じることが防止される。
【００３９】
図４及び図７に示すように、シールドケース７７が第１基板８５に取り付けられた状態では、傾斜部１２５，１２６は、本体部１０１から第１基板８５の主面８７に向かう状態に傾斜している。また、傾斜部１２５，１２６は、傾斜部１２５，１２６の下端１２７，１２８が第１基板８５の主面８７よりも上側に位置するように形成されている。
【００４０】
シールドケース７７は、誘い込み部１２１において、上側及び基端側に向かって開口している。誘い込み部１２１からは、第１基板８５の主面８７の一部が上側及び基端側に向かって外部に露出している。また、第１基板８５の主面８７に設けられる第１コネクタ８０は、傾斜部１２５，１２６の間から上側及び基端側に向かって外部に露出している。すなわち、第１コネクタ８０は、誘い込み部１２１を通して外部に露出している。第１コネクタ８０は、図４に示す傾斜部１２５，１２６の下端１２７，１２８間の中央部に配設されていることが好ましい。
【００４１】
また、第２基板９１が第１基板８５に装着された状態では、誘い込み部１２１において、第２基板９１のコネクタ配置部９８が傾斜部１２５，１２６の間に配置される。このとき、コネクタ配置部９８における側面９５と誘い込み部１２１の傾斜部１２５とが対向する。また、コネクタ配置部９８における側面９６と誘い込み部１２１の傾斜部１２６とが対向する。すなわち、傾斜部１２５，１２６は、第２コネクタ９０が第１コネクタ８０に装着された状態において、第２基板９１の側面９５，９６と対向する一対の壁面を有する。また、幅方向について傾斜部１２５の下端１２７と傾斜部１２６の下端１２８との間の距離は、第２基板９１のコネクタ配置部９８の幅よりも僅かに大きく形成されている。なお、幅方向について傾斜部１２５の下端１２７と傾斜部１２６の下端１２８との間の距離は、例えば指（例えば成人男性の通常の大きさの人差し指）の指腹よりも小さく形成されている。また、幅方向について折り曲げ部１２３と折り曲げ部１２４と間の距離は、指（例えば人差し指）の指腹の幅よりも大きく形成されている。
【００４２】
また、誘い込み部１２１では、傾斜部１２５の長さ、すなわち折り曲げ部１２３から下端１２７までの長さと、傾斜部１２６の長さ、すなわち折り曲げ部１２４から下端１２８までの長さとの合計の長さは、折り曲げ部１２３と折り曲げ部１２４との間の距離よりも小さく形成されている。すなわち、傾斜部１２５，１２６の延設長の合計は、折り曲げ部１２３と折り曲げ部１２４との間の距離よりも小さい。したがって、本体部１０１及び傾斜部１２５，１２６が１枚の平板となるように折り曲げ部１２３及び折り曲げ部１２４における部位間の折れ曲がりを伸ばした場合には、傾斜部１２５の下端１２７と傾斜部１２６の下端１２８とは、対向するが接触しない。このため、誘い込み部１２１は、１枚の平板を加工することにより、本体部１１０と一体に形成することができる。
【００４３】
前述のように、第２基板９１が第１基板８５に装着された状態では、シールドケース７７の規制部１３１に第２基板９１の保持部９９が配置され、規制部１３１の先端側に設けられる誘い込み部１２１に第２基板９１のコネクタ配置部９８が配置される。したがって、第２基板９１が第１基板８５に装着された状態では、保持部９９は、第２基板９１における基端部に位置し、コネクタ配置部９８は、第２基板９１における先端部に位置する。
【００４４】
次に、本実施形態の作用及び効果について説明する。接続部５の製造時には、接続部材２８にコネクタケース２３が取り付けられ、接続部材２８及びコネクタケース２３によって接続部５の外装が形成される。そして、接続部材２８にメインフレーム５０及びシールドケース７７が取り付けられた第１基板８５が固定される。そして、第１基板８５に第２基板９１が装着される。
【００４５】
図１０は、第１基板８５に第２基板９１を取り付ける様子を示す図である。第１基板８５に第２基板９１を装着する際には、作業者は、第２基板９１の保持部９９を保持し、接続部５の基端側から先端側に向かって、第２基板９１のコネクタ配置部９８をシールドケース７７の外面１０５に沿って挿入する。そして、第２基板９１のコネクタ配置部９８及び第２コネクタ９０を第１基板８５の第１コネクタ８０上に配置し、指（例えば人差し指）Ｆの腹を用いてコネクタ配置部９８における外面９３を第１基板８５に向かって下側に押圧する。これにより、第１コネクタ８０と第２コネクタ９０とが、連結される。ここで、第２基板９１は、接続部５及び第１基板８５に対して非常に小さい部品である。このため、第１基板８５に対する第２基板９１の取付け位置が分かりにくく、第２基板９１を第１基板８５に対して適切な位置に配置することが難しい。
【００４６】
本実施形態では、シールドケース７７には、誘い込み部１２１が設けられている。第１コネクタ８０は、誘い込み部１２１において、シールドケース７７から上側及び先端側に露出している。このため、作業者は、シールドケース７７及び第１基板８５に対する第１コネクタ８０の位置を視認することができる。すなわち、シールドケース７７の外面１０５において第２基板９１を取り付ける位置が開口していることにより、作業者は、第２基板９１を取り付ける位置を視認することができる。これにより、第２基板９１を第１基板８５に取り付けやすくなる。
【００４７】
また、傾斜部１２５と傾斜部１２６との間は、第２基板９１のコネクタ配置部９８の幅よりも僅かに大きく形成されている。このため、作業者は、傾斜部１２５と傾斜部１２６との間に第２基板９１の先端部を配置することにより、第２コネクタ９０を第１コネクタ８０に対して適切な位置に配置することができる。これにより、第１基板８５に対する第２基板９１の姿勢が規制され、第２基板９１が第１基板８５に対して適切な位置に配置される。また、第１コネクタ８０は、傾斜部１２５と傾斜部１２６との間の中央部において傾斜部１２５及び傾斜部１２６に対して離間して配置され、第２コネクタ９０は、第２基板９１のコネクタ配置部９８の幅方向の中央部に配設されている。このため、第２基板９１を傾斜部１２５と傾斜部１２６との間の中央部に配置することで、第２コネクタ９０を第１コネクタ８０に容易に接続することができる。そして、第２基板９１に設けられた第２コネクタ９０を第１基板８５に設けられた第１コネクタ８０に電気的に接続するとともに、第２基板９１を第１基板８５に適切に装着することになる。
【００４８】
誘い込み部１２１は、シールドケース７７の一部を第１基板８５側に折り曲げることで形成され、第２コネクタ９０が第１コネクタ８０に取り付けられる際の第１基板８５に対する第２基板９１の姿勢を規制する姿勢規制部である。誘い込み部１２１は、第２コネクタ９０が第１コネクタ８０に装着される際に、第２基板９１を第１基板８５に対して適切な位置に誘導する。
【００４９】
第２コネクタ９０を第１コネクタ８０に対する取り付け位置に正確に配置するためには、第２基板９１の側面９５，９６と、誘い込み部１２１が形成する開口縁部（下端１２７，１２８）との距離を小さく形成することが好ましい。すなわち、誘い込み部１２１の開口縁部の幅を、第２基板９１の幅よりも大きく、かつ、なるべく小さく形成することが好ましい。しかし、作業者は、第２基板９１が第１基板８５上に配置された状態から、第２基板９１の外面９３をシールドケース７７の外面１０５よりも下側まで押し込まなければならない。このとき、誘い込み部１２１の開口縁部の幅が小さく形成された状態では、指Ｆがシールドケース７７の外面１０５に当接することにより、第１基板８５に対して第２基板９１を十分に押し込めないことがある。
【００５０】
本実施形態では、誘い込み部１２１には、第１基板８５の主面８７に向かって延出された傾斜部１２５，１２６が設けられている。そして、傾斜部１２５，１２６の下端１２７，１２８は互いに対して幅方向に離間するとともに、第１基板８５の主面８７に対して上側に離間し、幅方向における誘い込み部１２１の開口縁部を形成している。このため、作業者が第２基板９１の外面９３を第１基板８５側に押し込む際には、１対の傾斜部１２５，１２６に指Ｆが当接する。傾斜部１２５，１２６は、作業者の指Ｆによって下側に押圧されることにより、指Ｆ及び第２基板９１の移動とともにシールドケース７７の外面１０５に対して下側に向かって弾性変形して湾曲する。このように、誘い込み部１２１の開口縁部に第１基板８５に向かって湾曲可能な傾斜部１２５，１２６を設けることにより、指Ｆが傾斜部１２５，１２６を押圧することで、第２基板９１を第１基板８５に対する適切な取り付け位置まで押し込むことが可能な構成になっている。
【００５１】
また、傾斜部１２５，１２６は、折り曲げ部１２３，１２４において本体部１０１から滑らかに傾斜している。このため、作業者の指Ｆが折り曲げ部１２３，１２４に接触することにより、作業者が指を折り曲げ部１２３，１２４に引っ掛けてしまうことが防止されている。
【００５２】
したがって、傾斜部１２５，１２６を有する誘い込み部１２１が設けられていることにより、作業者は、第２基板９１を第１基板８５における取り付け位置に正確に配置することができ、かつ、第２基板９１をシールドケース７７内に配置される第１基板８５まで押し込むことができる。
【００５３】
なお、誘い込み部１２１の傾斜部１２５，１２６が作業者の指Ｆによって下側に押圧された状態が解除されると、弾性変形により元の状態に戻る。
【００５４】
また、例えば、部品交換時又は修理時には、第２基板９１を第１基板８５から取り外すことがある。図１１は、第２基板９１が第１基板８５から取り外される様子を示す図である。作業者は、第２基板９１の保持部９９を基端側から指又は保持具などで挟んで保持し、保持部９９を第１基板８５に対して上側に持ち上げる。そして、コネクタ８０，９０間の連結部を中心として保持部９９を第１基板８５に対して回転させる。これにより、第１コネクタ８０と第２コネクタ９０との連結が解除されるとともに、第２基板９１が第１基板８５から取り外される。ここで、第１コネクタ８０と第２コネクタ９０との連結構造には、規定の取り外し方向が設定されている。第２基板９１は、規定の取り外し方向（図１１の矢印Ｔ１方向）に沿って第１基板８５に対して移動させることにより、第１基板８５に対して取り外すことが推奨されている。規定の取り外し方向以外の方向（例えば図４の矢印Ｒ１，Ｒ２方向）に沿って、第２基板９１が第１基板８５から取り外された場合、コネクタ８０，９０に意図しない負荷がかけられる可能性がある。
【００５５】
本実施形態では、第２基板９１のコネクタ配置部９８は、シールドケース７７の誘い込み部１２１の１対の端部１２７，１２８の間に配置される。このとき、第２基板９１のコネクタ配置部９８は、傾斜部１２５，１２６の間に配置される。前述のように、幅方向について傾斜部１２５と傾斜部１２６との間には端部１２７，１２８が形成され、端部１２７，１２８間は、第２基板９１のコネクタ配置部９８の幅よりも僅かに大きく、指の指腹の幅よりも小さく形成されている。このため、第２基板９１と傾斜部１２５との間、及び第２基板９１と傾斜部１２６との間に形成される空間には、作業者は指を挿入することができない。したがって、作業者は、誘い込み部１２１と第２基板９１のコネクタ配置部９８との間の隙間に指を挿入することによっては、第２基板９１を第１基板８５から取り外すことができない。
【００５６】
また、第２基板９１の保持部９９は、シールドケース７７の規制部１３１において側壁１３３，１３４の間に配置される。このため、側壁１３３及び側壁１３４によって、第２基板９１の第１基板８５に対する位置が規制されている。すなわち、規制部１３１は、第２コネクタ９０が第１コネクタ８０に装着された状態において第１基板８５に対する第２基板９１の配置位置を規制する位置規制部である。
【００５７】
また、前述のように、幅方向について側壁１３３と側壁１３４との間は、第２基板９１の保持部９９の幅よりも僅かに大きく形成されている。このため、第２基板９１の保持部９９と側壁１３３との間、及び、第２基板９１の保持部９９と側壁１３４との間に形成される空間には、作業者は指を挿入することができない。このため、作業者は、規制部１３１の側壁１３３と第２基板９１の保持部９９との間、及び、規制部１３１の側壁１３４と第２基板９１の保持部９９との間の隙間に指を挿入することによっては、第２基板９１を第１基板８５から取り外すことができない。このため、作業者は、規制部１３１に基端側から指を挿入することでのみ、第２基板９１の保持部９９を保持することができる。
【００５８】
また、作業者が、第２基板９１の保持部９９を保持した状態で、第２基板９１を第１基板８５に対して横回転方向（図４の矢印Ｒ１，Ｒ２方向）に回転させようとした場合には、第２基板９１を保持した指が側壁１３３，１３４または底部１３２に当接する。このため、第２基板９１の第１基板８５に対する横回転方向への移動が規制される。これにより、作業者は、第２基板９１を第１基板８５に対して横回転方向に回転させることによって第２基板９１を第１基板８５から取り外すことができない。すなわち、規制部１３１によって、第２基板９１が第１基板８５に対して規定の取り外し方向（図１１の矢印Ｔ１方向）以外の方向（図４の矢印Ｒ１，Ｒ２方向）に移動することが規制される。第２基板９１が第１基板８５に対して規定の取り外し方向以外の方向に取り外されることが防止されることにより、第２基板９１の取り外し方向が規定の方向のみに規制される。これにより、第１コネクタ８０と第２コネクタ９０との連結が安全に取り外され、コネクタ８０，９０に意図しない負荷がかけられることが防止される。
【００５９】
すなわち、規制部１３１は、第２コネクタ９０が第１コネクタ８０から取り外される際に、第１基板８５に対する第２基板９１の移動方向（取り外し方向）を規定の方向（矢印Ｔ１方向）に規制している。
【００６０】
また、本実施形態では、誘い込み部１２１及び規制部１３１は、シールドケース７７の本体部１０１を折り曲げることにより形成することが可能である。このため、部品数を増やすことなく、第２基板９１を取り付けやすく、かつ、第２基板９１が規定の取り外し方向以外の方向に沿って取り外されることが防止された、基板の取り付け構造６を実現することができる。このため、第２基板９１が規定の取り外し方向以外の方向に沿って取り外されることを防止するために、シールドケース７７に別の規制部材が取り付けられる場合に比べて、部品数の削減によるコストの増加及び組立作業の複雑化などを抑制することができる。
【００６１】
なお、シールドケース７７の規制部１３１の側壁１３３，１３４は、本体部１１０に対して垂直でなくてもよく、本体部１１０に対して傾斜していてもよい。また、底部１３２及び側壁１３３，１３４は、曲面であってもよい。
【００６２】
また、規制部１３１は、切欠き部１１１の左側縁部１１４の一部から右側に向かって延出する部分を折り曲げることにより形成されていてもよい。この場合においても、規制部１３１は、長手方向に沿って誘い込み部１２１の基端側に設けられる。
【００６３】
また、規制部１３１は、切欠き部１１１の右側縁部１１３からの延出部分を折り曲げることにより形成される第１側壁１３３と、切欠き部１１１の左側縁部１１４からの延出部分を折り曲げることにより形成される第２側壁１３４のみによって形成されてもよい。この場合、底部１３２は形成されない。この場合においても、一対の壁面である第１側壁１３３及び第２側壁１３４が設けられていることにより、前述の実施形態と同様の効果が得られる。
【００６４】
なお、第１コネクタ８０は、傾斜部１２５，１２６の下端１２７，１２８の間の中央部から下端１２７，１２８の一方側に近接する（ずれた）位置に配設されていても良い。この場合においても、第１コネクタ８０は、誘い込み部１２１を通して外部に露出する。また、この場合、第２コネクタ９０は、対向面９２の幅方向の中央部からずれた位置に配設されていることが好ましい。そして、第１コネクタ８０と第２コネクタ９０とが接続された状態で、第２基板９１が傾斜部１２５，１２６の下端１２７，１２８の間の中央部に配設されることが好ましい。
【００６５】
また、説明してきた基板８５，９１の取り付け構造６は、内視鏡１の接続部５以外にも適用可能である。例えば、内視鏡１の操作部３の内部に設けられた基板の連結構造（図示しない）に適用可能である。また、内視鏡１以外に設けられる基板の連結構造にも適用可能である。
【００６６】
本実施形態で用いられる基板の取り付け構造（６）は、平板状に形成された第１基板（８５）と、前記第１基板（８５）の表面（８７）に設けられた第１コネクタ（８０）と、平板状に形成された第２基板（９１）と、前記第２基板（９１）に設けられ、前記第１コネクタ（８０）に接続されることにより前記第２基板（９１）が前記第１基板（８５）に装着される第２コネクタ（９０）と、前記第１基板（８５）と平行に延設され、前記第１基板（８５）の前記表面（８７）の少なくとも一部を覆う板状部材（７７）と、前記板状部材（７７）の一部を前記第１基板（８５）に向かって折り曲げることで形成され、前記第２コネクタ（９０）が前記第１コネクタ（８０）に装着される際の前記第１基板（８５）に対する前記第２基板（９１）の姿勢を規制する姿勢規制部（１２１）と、前記板状部材（７７）の一部を折り曲げることで形成され、前記第２コネクタ（９０）が前記第１コネクタ（８０）に装着された状態において前記第１基板（８５）に対して前記第２基板（９１）が配置される位置を規制する位置規制部（１３１）と、を有する。
【００６７】
以上、本発明の実施形態等について説明したが、本発明は前述の実施形態等に限るものではなく、発明の趣旨を逸脱することなく種々の変形ができることは、もちろんである。
【図１】
2018116554.tif 000003
【図２】
2018116554.tif 000004
【図３】
2018116554.tif 000005
【図４】
2018116554.tif 000006
【図５】
2018116554.tif 000007
【図６】
2018116554.tif 000008
【図７】
2018116554.tif 000009
【図８】
2018116554.tif 000010
【図９】
2018116554.tif 000011
【図１０】
2018116554.tif 000012
【図１１】
2018116554.tif 000013
【国際調査報告】
2018116554.tif 000014
2018116554.tif 000015